(57)【要約】【課題】  容易に後付けできて、前方側と同時に側面側からの陽射しも良好に遮光できる自動車用着脱サンバイザーを提供する。【解決手段】  自動車の車室内に既に設置されている既設サンバイザー４のサイドウインド側端部に固定できる固設用化粧部材９と、この固設用化粧部材９に対しヒンジ部１０を介し回動可能な本体部８を備え、本体部８を既設サンバイザー４に重合させて車室内の天井側へ収納できるとともに、既設サンバイザー４を天井側からフロントウインド上部に配置させた状態で、本体部８をサイドウインド側へ配置させて、側面からの陽射しも遮光することができるものとなる。【選択図】  図２
2006082673.tif 000002
【特許請求の範囲】
【請求項１】
自動車の車室内に既に設置されている既設のサンバイザーのサイドウインド側端部に固定できる固設部材と、該固設部材に対しヒンジを介し回動可能な本体部を備え、該本体部を前記既設のサンバイザーに重合させて、車室内の天井側へ収納できるとともに、前記既設のサンバイザーを天井側からフロントウインド上部に配置させた状態で、前記本体部を前記サイドウインド側へ配置できるように構成したことを特徴とする自動車用着脱サンバイザー。
【請求項２】
前記固設部材は、前記既設のサンバイザーのサイドウインド側端部に挟み付けて固定し得るバネ部材を備えていることを特徴とする請求項１に記載の自動車用着脱サンバイザー。
【発明の詳細な説明】
【技術分野】
【０００１】
本発明は、自動車の車室内に既に設置されている既設のサンバイザーに後付けできる自動車用着脱サンバイザーに関するものである。
【背景技術】
【０００２】
自動車用サンバイザーとしては、例えば特許文献１に開示されているような構造のものが存在する。
【特許文献１】特開２００４−０２５９７７号公報
【発明の開示】
【発明が解決しようとする課題】
【０００３】
従来の自動車用サンバイザーは、前方側からの陽射しを遮光するために、天井側からフロントウインドの上部にサンバイザーを配置させて、眩しさを防ぐことができるように構成されており、また、軸を介してサイドウインド側へ回転させて、サイドウインド側からの陽射しも遮光できるように構成されている。
しかし、例えば曲がりくねった道を自動車が走行する際においては、陽射しは前側から差し込む場所と、側面のサイドウインド側から差し込む場所が、次々と変わってくるため、その都度サンバイザーをフロントウインドとサイドウインドの何れかに配置させて遮光する必要があり、自動車の運転に支障が生ずるという問題点があった。
【課題を解決するための手段】
【０００４】
本発明は上記従来の問題点に鑑み案出したものであって、フロントウインド側を遮光できると同時にサイドウインド側も遮光することのできる後付けタイプの自動車用着脱サンバイザーを提供することを目的とし、その請求項１は、自動車の車室内に既に設置されている既設のサンバイザーのサイドウインド側端部に固定できる固設部材と、該固設部材に対しヒンジを介し回動可能な本体部を備え、該本体部を前記既設のサンバイザーに重合させて、車室内の天井側へ収納できるとともに、前記既設のサンバイザーを天井側からフロントウインド上部に配置させた状態で、前記本体部を前記サイドウインド側へ配置できるように構成したことである。
【０００５】
また請求項２は、前記固設部材は、前記既設のサンバイザーのサイドウインド側端部に挟み付けて固定し得るバネ部材を備えていることである。
【発明の効果】
【０００６】
本発明の自動車用着脱サンバイザーは、自動車の車室内に既に設置されている既設のサンバイザーのサイドウインド側端部に固定できる固設部材と、固設部材に対しヒンジを介し回動可能な本体部を備え、本体部を既設のサンバイザーに重合させて、車室内の天井側へ収納できるとともに、既設のサンバイザーを天井側からフロントウインド上部に配置させた状態で、本体部をサイドウインド側へ配置できるように構成したことにより、自動車の車室内に既に設置されている既設のサンバイザーに固設部材を介して良好に後付けすることができ、本体部を既設のサンバイザーに重合させた状態で、良好に天井側に収納させておくことができ、天井側から既設のサンバイザーとともにフロントウインド上部に配置させて、前面からの光を良好に遮光することができ、この状態で本体部をサイドウインド側に配置させて、サイドウインド側も良好に遮光することができ、フロントウインド側とサイドウインド側を同時に遮光することができ、道が曲がりくねっている場所を走行するような場合に、フロントウインド側と、サイドウインド側に切替える必要がなく、眩しさを感じることなく良好に自動車を運転することができるものとなる。
【０００７】
また、固設部材は、既設のサンバイザーのサイドウインド側端部に挟み付けて固定し得るバネ部材を備えていることにより、バネ部材を既設のサンバイザーのサイドウインド側端部に挟み付けて、ワンタッチで強固に固設部材を既設のサンバイザーに固定することができ、取り付けが極めて容易なものとなる。
【実施例】
【０００８】
以下、本発明の実施例を図面に基づいて説明する。
図１は、自動車の車室内の天井側にサンバイザーを収納させた状態図であり、図２は、既設のサンバイザーに着脱サンバイザーを取り付ける前の分解斜視図である。また、図３は、使用状態を示すものである。
【０００９】
図において、自動車の車室内には既に既設のサンバイザー４が設置されており、この既設のサンバイザー４は、車室内に固定金具５を介して縦軸６ａと横軸６ｂが設けられ、この横軸６ｂに回動可能に設置されているものであり、既設のサンバイザー４は、横軸４ｂを中心として天井２側またはフロントウインド１の上部側に回動させて配置させることができ、また、縦軸６ａを中心としてサイドウインド３側に回動させて配置させることができるものである。
【００１０】
この既設サンバイザー４のサイドウインド３側の端部に、図２に示すように、着脱サンバイザー７を後付け固定できるように構成されている。
着脱サンバイザー７は、既設のサンバイザー４とほぼ同型の板状の本体部８の先端に、ヒンジ部１０を介在させて回動可能に固設用化粧部材９が連結されており、この固設用化粧部材９の内側には、複数枚の板バネ１１，１１が設けられている。
【００１１】
この固設用化粧部材９は、既設サンバイザー４のサイドウインド３側の端部に嵌め込むことのできる上片９ａと下片９ｂを備えており、既設サンバイザー４のサイドウインド３側から、既設サンバイザー４の裏側に固設用化粧部材９を差し込み、同時に表側に複数枚の板バネ１１，１１を挟持させて、複数枚の板バネ１１，１１，１１と固設用化粧部材９間に強固に既設サンバイザー４を挟み込んで、既設サンバイザー４に固設できるように構成されている。
従って、既設サンバイザー４に対する着脱サンバイザー７の取り付けは、サイドウインド３側から既設サンバイザー４の端部に押し込んで挟み付けて、ワンタッチで着脱サンバイザー７を取り付けることができ、着脱サンバイザー７の着脱作業は容易に行えるものである。
【００１２】
固設用化粧部材９を既設サンバイザー４に固定して、着脱サンバイザー７を取り付けた状態では、図３に示すように、ヒンジ部１０を介して本体部８を既設サンバイザー４側に回動させて、既設サンバイザー４と本体部８を重合させることができ、この状態では一体感を成してコンパクトな形状となり、この重合状態で既設サンバイザー４とともに着脱サンバイザー７は、図１に示すように、天井２側に配置させてコンパクトに収納しておくことができるものである。
【００１３】
なお、本体部８の裏側に磁石１３を設けておき、この磁石１３が磁着できる鉄板等が既設サンバイザー４側に存在しておれば、この磁石１３を介して強固に本体部８を重合状態にしておくことができるものである。
また、図１の状態から既設サンバイザー４とともに、着脱サンバイザー７をフロントウインド１の上部側に回動させて配置させ、自動車の前面側からの陽射しを良好に遮光することができるものである。
【００１４】
なお、更に自動車が、道が曲がりくねっているような場所を走行する際には、図３に示すように、ヒンジ１０を介して着脱サンバイザー７の本体部８をサイドウインド３側に配置させて、側面側からの陽射しも良好に本体部８で遮光できるものとなり、前面側から及び側面側からの陽射しを同時に遮光できるため、道が曲がりくねっている場所でも、逐一、フロントウインド１側からサイドウインド３側へサンバイザーを切替える必要がなく、眩しさを感じることなく運転操作に専念することができるものとなる。
【００１５】
なお、本体部８の表面側に、例えば吸盤１２を備えておけば、サイドウインド３側に本体部８を配置させた時に、この吸盤１２が良好にサイドウインド３に吸着されて、位置ズレが生ずることなく、良好に側面側からの陽射しを遮光できるものとなる。
【図面の簡単な説明】
【００１６】
【図１】既設サンバイザーに着脱サンバイザーを一体化させて天井側に収納させた状態の車室内の斜視構成図である。
【図２】既設サンバイザーに対し着脱サンバイザーを取り付ける前の分解斜視図である。
【図３】着脱サンバイザーを既設サンバイザーに取り付けた状態の使用状態を示す斜視構成図である。
【符号の説明】
【００１７】
１  フロントウインド
２  天井
３  サイドウインド
４  既設サンバイザー
５  固定金具
６ａ  縦軸
６ｂ  横軸
７  着脱サンバイザー
８  本体部
９  固設用化粧部材
９ａ  上片
９ｂ  下片
１０  ヒンジ部
１１  板バネ
１２  吸盤
１３  磁石
【図１】
2006082673.tif 000003
【図２】
2006082673.tif 000004
【図３】
2006082673.tif 000005